(57)【特許請求の範囲】
【請求項１】
下面が開口するとともに、内部に電気部品箱、熱交換器、ドレンパン及び送風機を収容する室内ユニット本体と、
この室内ユニット本体下面の開口部を閉成する化粧パネルと、
前記ドレンパンに設けられ、前記室内ユニット本体に対して前記ドレンパンを取付固定するための第１のインサート金具及び、前記ドレンパンに対して前記電気部品箱を取付固定するための第２のインサート金具とを具備し、
前記第１のインサート金具と前記第２のインサート金具は、互いに電気的に接続されるとともに前記ドレンパンに対して一体的に形成されることを特徴とする空気調和装置の室内ユニット。
【請求項２】
前記第１のインサート金具と前記第２のインサート金具は、それぞれの一部が重なり合い、これらの重なり合う部位が固定ねじで固定されることを特徴とする請求項１記載の空気調和装置の室内ユニット。
【請求項３】
前記第２のインサート金具に、ベルマウスが取付固定されることを特徴とする請求項１及び請求項２のいずれかに記載の空気調和装置の室内ユニット。
【発明の詳細な説明】
【技術分野】
【０００１】
本発明は、例えば天井埋込み型の空気調和装置の室内ユニットに係り、特に電気部品箱に対する雑音端子電圧低減のためのアース構造の改良に関する。
【背景技術】
【０００２】
一般的な天井埋込み型の空気調和装置の室内ユニットは、下部の略全面が開口する金属薄板を加工した板金製のケーシングと、このケーシング内面に組み込まれる断熱材から室内ユニット本体が構成される。室内ユニット本体内部には、熱交換器、送風機、ドレンパン等が配置される。【０００３】
前記ドレンパンの下部に、合成樹脂材から成形され美麗に仕上げられた化粧パネルが取付けられる。前記化粧パネルには、吹出口及び吸込口が開口される。吹出口には熱交換空気の吹出風向を定めるルーバが取付けられ、吸込口には吸込グリルで支持されるフィルタが嵌め込まれる。【０００４】
ドレンパンと化粧パネルとの間には、室内ユニットを電気的に制御するための電子部品等を収容する電気部品箱が配置される。前記ドレンパンは、例えば発泡スチロール材で成型され、前記電気部品箱は金属薄板を加工した板金製である。したがって、そのままでは電気部品箱をドレンパンに取付けることができない。【０００５】
例えば、特開２００１−２３５１７６号公報には、ドレンパンの発泡成型時に板金製からなるインサート金具を埋め込んで、互いに一体に形成したものが記載されている。前記インサート金具は、一部がドレンパンから突出していて、この突出部位にはねじ孔が設けられる。また、電気部品箱にはインサート接続部が設けられ、これらにねじを挿通して固定する技術が開示されている。
【発明の開示】
【０００６】
ところで、前記電気部品箱は金属材からなり、かつ電気部品を収容するので、雑音端子電圧低減のための対策が必要である。特開２００１−２３５１７６号公報には雑音端子電圧の低減に係る記載がないが、一般的には、電気部品箱にリード線の一端部を接続し、この中途部をドレンパンと化粧パネルとの間に介在させ、他端部を室内ユニット外部に引き出して接地し雑音端子電圧低減のためのアース用配線を構成する。  
なお、室内ユニットの組立て作業は、室内ユニットを天井取付状態とは逆にして行う。すなわち、室内ユニット本体であるケーシングの上面を下に、下面開口部を上にして作業台上に載置し、開口部から内部へ、送風機、熱交換器、ドレンパン、電気部品箱を順次挿入して取付け、最後に化粧パネルを取付ける。
【０００７】
上記アース用配線をなすにあたって、既に電気部品箱が取付けられているので、開口部から手を差し込んで電気部品箱にリード線の一端部を接続しなければならない。このとき、既に取付けられている送風機、熱交換器及びドレンパンを避け、これらの間にリード線と作業用工具を入れて作業しなければならず、極めて面倒である。  
また、予めリード線の一端部を電気部品箱に接続しておき、この電気部品箱をケーシング内に挿入して取付けることも可能である。しかしながら、この状態では電気部品箱からリード線が垂れ下り、送風機や熱交換器等にからむ虞れがあって神経を使う。リード線の中途部を所定部位に引き回す必要があり、いずれにしても極めて面倒な作業となる。
【０００８】
そこで本発明は、室内ユニット組立て時における雑音端子電圧低減のためのアース用配線作業を不要とし、組立て作業性の向上化を図れる空気調和装置の室内ユニットを提供することを目的としている。
【０００９】
上記目的を満足するため本発明の空気調和装置の室内ユニットは、下面が開口する室内ユニット本体の内部に電気部品箱、熱交換器、ドレンパン及び送風機を収容し、化粧パネルで室内ユニット本体下面の開口部を閉成し、ドレンパンに、室内ユニット本体に対してドレンパンを取付固定するための第１のインサート金具及びドレンパンに対して電気部品箱を取付固定するための第２のインサート金具を備え、これら第１のインサート金具と第２のインサート金具を互いに電気的に接触した状態でドレンパンに対して一体的に形成する。
【図面の簡単な説明】
【００１０】
【図１】図１は、本発明における一実施の形態に係る天井埋込み型空気調和装置の室内ユニットの斜視図である。
【図２】図２は、同実施の形態に係る室内ユニット本体を分解した斜視図である。
【図３】図３は、同実施の形態に係る室内ユニット本体の縦断面図である。
【図４】図４は、同実施の形態に係るドレンパンを取付けた状態の室内ユニット本体の平面図である。
【図５】図５は、同実施の形態に係るさらにベルマウスを取付けた状態の室内ユニット本体の平面図である。
【図６】図６は、同実施の形態に係るさらに電気部品箱を取付けた状態の室内ユニット本体の平面図である。
【図７】図７は、同実施の形態に係る電気部品箱を取付けた状態の室内ユニット本体の一部斜視図である。
【図８】図８は、同実施の形態に係る電気部品箱の一部平面図である。
【図９】図９は、同実施の形態に係る電気部品箱の一部斜視図である。
【図１０】図１０は、同実施の形態に係るベルマウスの通常使用時の一部斜視図である。
【図１１】図１１は、同実施の形態に係るベルマウスのスリットカット時の一部斜視図である。
【図１２】図１２は、同実施の形態に係るベルマウスの制御用電気部品箱取付時の一部斜視図である。
【発明を実施するための最良の形態】
【００１１】
以下、本発明の実施の形態を図面に基づいて説明する。（なお、文中に符号の付していない構成部品及び構成部位については図示していない。また、図の煩雑さを避けるために意図して構成部品及び構成部位に符号を付していない場合もある）  
図１は本発明の一実施の形態に係る天井埋込み型の空気調和装置の室内ユニット１を下面側から示す斜視図、図２は室内ユニット本体２の分解斜視図、図３は室内ユニット本体２の断面図である。【００１２】
空気調和装置の室内ユニット１は、室内側から天井板に設けられた取付用開口部に挿入され、吊り下げボルト等を介して、いわゆる天井裏に吊持固定される室内ユニット本体２と、この室内ユニット本体２の下部に取付けられ天井板から室内側に露出する化粧パネル３とから構成される。  
前記室内ユニット本体２は、下面部全てが開口し、上面部と側面部に金属薄板を加工してなる板金製のケーシング４を備えている。このケーシング４の内周面には発泡スチロール材等を用いて成型される断熱材５が取付けられていて、室内ユニット本体２は断熱構造をなしている。【００１３】
前記ケーシング４内部の中央部には送風機６が配置され、この送風機６を囲むようにして平面視で四角枠状に一体形成された室内熱交換器７が取付けられている。なお、室内熱交換器７として平面視でＬ字状に形成された一対の熱交換器部からなるものが用いられる場合もある。室内ユニット本体２の隅部には、ドレンポンプ９が取付けられている。【００１４】
前記ケーシング４の下面開口部は、前記化粧パネル３によって閉成されている。この化粧パネル３は、例えば合成樹脂材から成型されて美麗に仕上げられており、天井板から室内に対して露出し、室内ユニット本体２周面と天井板の取付用開口部との隙間を遮蔽する。  
前記送風機６は、ケーシング４の上面部に適宜な手段で取付固定されるファンモータＭと、このファンモータＭの回転軸に取付けられるファンＦとからなる。前記ファンＦは、回転にともない回転軸方向から空気を吸込んで周方向へ吹出す送風作用をなす、多翼型ファンである。【００１５】
前記室内熱交換器７は、ファンＦの吹出方向である周方向に対向して配置される。室内熱交換器７の下端部はケーシング４に設けられる四角枠状のドレンパン１０内に挿入され、室内熱交換器７の熱交換作用にともなって生成されるドレン水を受けことができる。前記ドレンポンプ９は、ドレンパン１０内のドレン水に浸漬するよう取付けられる。  
化粧パネル３と送風機ファンＦとの間にはベルマウス１２が設けられ、周囲をドレンパン１０で囲まれる。ベルマウス１２は、送風機ファンＦ側が小径で、化粧パネル３側が大径のホーン状の収斂部１２ａと、収斂部１２ａの大径側に一体に設けられる平坦部１２ｂと、平坦部１２ｂの一側方に隣設されるスリット部１２ｃを備えている。【００１６】
前記ドレンパン１２の平坦部１２ｂには、電気部品箱１３が取付けられている。この電気部品箱１３は、下面が開口され内部に制御用電気部品を実装した制御基板を収容する箱体１４と、この箱体１４の下面開口部を開閉自在に閉成する蓋板１５とからなる。前記箱体１４と蓋板１５のいずれも、金属薄板を加工した板金製である。  
ベルマウス１２の収斂部１２ａ大径側には、ファンガード１６が取付けられる。このファンガード１６を備えたことで、メンテナンス作業にともない化粧パネル３を取外した状態であっても、送風機６を構成するファンＦに直接手が触れることがなく安全性が確保されている。【００１７】
前記化粧パネル３は、外形が矩形状のパネル本体３Ａを備えており、中央部には矩形状の吸込口１７が開口されている。この吸込口１７は前記ドレンパン１０の内側面とほぼ対向する面積形状に設けられ、フィルタを支持する吸込グリル１８が着脱自在に取付けられている。  
前記吸込グリル１８は、吸込口１７における室内空気の流通を可能としながら、吸込口１７からケーシング４内部に対する遮蔽をなす。メンテナンス時には、吸込グリル１８とともにフィルタを取外すことができ、室内床上でのフィルタ及び吸込グリル１８の掃除が可能である。【００１８】
前記吸込口１７の各辺部に沿って吹出口１９が設けられる。各吹出口１９は幅方向に対して長手方向が極端に細長い形状をなし、４ヶ所設けられる。各吹出口１９は、ドレンパン１０の外側面とケーシング４の内側面に取付けられる断熱材５との間隙に対向して設けられ、それ自体が外方へ曲成される。  
各吹出口１９にはルーバ機構のルーバＲが取付けられていて、化粧パネル３周辺の広い範囲へ熱交換空気を吹出案内する。パネル本体３Ａの四隅部には、それぞれ矩形状の高さ調整用開口部２０が設けられ、これら高さ調整用開口部２０には化粧コーナーパネル２１が着脱自在に取付けられる。【００１９】
一方、前記ケーシング４は天井裏を構成する梁から垂下された４本の吊り下げボルトに吊持されている。なお説明すると、ケーシング４側面のコーナー部に、水平方向外側へ突出する吊り金具２２Ａが取付けられ、この吊り金具２２Ａに設けられた長孔ｄに吊り下げボルトを挿通し、この挿通部分の下側にナットを螺着するようになっている。  
これにより、ナットの上面に吊り金具２２Ａが載り、ケーシング４が４箇所において吊り下げボルトに吊持される。また、ナットの吊り下げボルトに対する螺着位置を調整することによって、ケーシング４の吊り下げ高さ調整が可能である。この作業は、化粧コーナーパネル２１を取外し、高さ調整用開口部２０に工具を挿入して行う。【００２０】
前記吊り金具２２Ａは、略コ字状に形成された金具本体２２の上端部に、水平方向へ突出する折曲片部からなっている。この金具本体２２は、ケーシング４にスポット溶接等の手段で取付けられる。さらに、金具本体２２の下端部にも水平方向に折曲された片部があり、これを取付け用金具２２Ｂと呼ぶ。  
したがって前記取付用金具２２Ｂは、吊り金具２２Ａとともにケーシング４に一体に形成されている。この取付用金具２２Ｂは、前記化粧パネル３及び前記ドレンパン１０をケーシング４に取付固定するためのものであり、これらの取付作業の詳細については後述する。【００２１】
ドレンパン１０の下面に、第１のインサート金具２４及び第２のインサート金具２５のそれぞれ一部が露出する。すなわち、ドレンパン１０の成型金型内に第１のインサート金具２４と第２のインサート金具２５の一部が支持され、発泡成型とともにドレンパン１０内に埋設（インサート）される。  
前記第１のインサート金具２４は、ドレンパン１０をケーシング４に取付固定するためのものである。また、前記第２のインサート金具２５は、ドレンパン１０にベルマウス１２と電気部品箱１３を取付けるためのものである。これらの取付作業の詳細については後述する。【００２２】
このように構成された天井埋込み型の空気調和装置の室内ユニット１において、送風機６が駆動されることにより、空内空気が吸込グリル１８とフィルタを介して吸込口１７に吸引される。そして、ベルマウス１２に案内されて送風機６の回転軸方向から吸込まれ、周方向へ吹出される。  
周方向へ吹出された室内空気は、室内熱交換器７を流通して熱交換され、冷房運転時には冷気に変り、暖房運転時には暖気に変る。この熱交換空気は、室内熱交換器７と断熱材５との間隙に沿って導かれ、化粧パネル３に形成される複数の吹出口１９から室内へ吹出される。【００２３】
したがって、天井板に取付けられる空気調和装置の室内ユニット１から室内へ熱交換空気が均等に吹出されることとなり、室内に対する空調作用が効率よく行われる。  
次に、室内ユニット本体２の組立て構成について詳述する。  
図４はケーシング４にドレンパン１０を取付けた状態の平面図、図５はさらにベルマウス１２を取付けた平面図、図６はさらに電気部品箱１３を取付けた平面図、図７は図６に示す電気部品箱１３とその周辺部の一部斜視図である。【００２４】
前記金具本体２２において、上部側の吊り金具２２Ａと下部側の取付用金具２２Ｂのそれぞれ基端部は、互いに同一の幅寸法に形成され、互いに上下に対向して設けられる。吊り金具２２Ａには吊り下げボルト挿通用の長孔ｄが設けられているが、この長孔ｄとは対向しないように取付用金具２２Ｂの一部が突出している。  
前記取付用金具２２Ｂの突出部に化粧パネル３のコーナー部を重ね、かつ互いに設けられるねじ孔に固定ねじを挿通し螺着することによって、ケーシング４に化粧パネル３が取付けられる。したがって、取付用金具２２の突出部が吊り金具２２Ａの吊り下げボルトに対する高さ調整作業の支障となることはない。【００２５】
第１のインサート金具２４及び第２のインサート金具２５は、それぞれ金属薄板を折曲加工した板金製である。前述したように、各インサート金具２４，２５はドレンパン１０の発泡成型時にインサートされ大部分はドレンパン１０内に埋設されるが、一部は図４〜図６にハッチングで示すようにドレンパン１０から露出する。  
図４〜図６に示す右下コーナー部の第１のインサート金具２４のみ、他のコーナー部における第１のインサート金具２４と形状寸法が相違する。この第１のインサート金具２４を除く他のコーナー部における第１のインサート金具２４は、互いに形状寸法が同一のものが用いられる。【００２６】
第２のインサート金具２５は、図４〜図６の左側上下部位にのみ取付けられており、右側上下部位には存在しない。図７は、第２のインサート金具２５が取付けられる側のみを拡大して示している。  
いずれの第１のインサート金具２４においても、一部は前記吊り金具２２Ａと取付用金具２２Ｂの基端部と対向するよう、ドレンパン１０のコーナー部から外側へ突出している。第１のインサート金具２４の突出部を取付用金具２２Ｂの基端部に合わせた状態で、互いに設けられるねじ孔が連通する。【００２７】
それぞれのねじ孔に固定ねじを挿通し螺着することにより、ドレンパン１０に設けられる第１のインサート金具２４が、ケーシング４下端部の取付用金具２２Ｂに取付けられる。すなわち、図４に示すように、ドレンパン１０がケーシング４に取付固定されることとなる。  
図４〜図６の右下コーナー部における第１のインサート金具２４は、ドレンパン１０突出部位から離間して一対の矩形状の露出部ｇを備えている。他の第１のインサート金具２４は、ドレンパン１０突出部位と並行に横長状の露出部ｈを備えている。これら露出部ｇ，ｈには孔部が設けられていて、この孔部はドレンパン１０の発泡成型時に第１のインサート金具２４の保持をなすピンが係合するための係合用孔である。  
図４〜図６に示す左側上下部の第１のインサート金具２４で、横長状の露出部ｈに隣接して円形状の露出部ｉがある。この露出部ｉには、図７に示すように固定ねじ２６が設けられている。前記固定ねじ２６は、第１のインサート金具２４と第２のインサート金具２５に設けられる突出部相互を固定するものである。【００２８】
すなわち、ドレンパン１０内部において第１のインサート金具２４と第２のインサート金具２５のそれぞれ一部が突出し、互いに重なり合い、密に接触している。これらの突出部には互いに連通するねじ孔が設けられ、ここに前記固定ねじ２６が挿通し螺着される。したがって、各インサート金具２４，２５一部は互いに強固に固定されている。  
図４〜図６に示す上部側で、かつ図７に示す右側の第２のインサート金具２５は、第１のインサート金具２４の取付方向とは角度を変えて取付けられる。また、図４〜図６に示す下部側で、かつ図７に示す左側の第２のインサート金具２５は、第１のインサート金具２４における取付方向に沿って取付けられている。【００２９】
このように、ここでは２個用いられる第２のインサート金具２５は、互いに第１のインサート金具２４に対する取付姿勢が異なるが、全く同一の寸法形状に形成されている。そして、第２のインサート金具２５の露出部には複数のねじ孔と、インサート加工時の保持用孔が設けられる。  
図５に示すように、ドレンパン１０の第２のインサート金具２５が露出する部位にベルマウス１２の平坦部１２ｂを合わせると、ベルマウス平坦部１２ｂに設けられるねじ孔が第２のインサート金具２５のねじ孔と連通する。これらねじ孔に固定ねじを挿通し螺着することで、ベルマウス１２をドレンパン１０に取付固定できる。【００３０】
この状態で、ベルマウス１２には第２のインサート金具２５に設けられるねじ孔と対向し、かつ前記ねじ孔の直径よりも大なる透孔部２７を備えている。図６及び図７に示すように、ベルマウス平坦部１２ｂに電気部品箱１３の箱体１４を位置合わせすると、前記透孔部２７は箱体１４に設けられるねじ孔ｋと対向する。  
そこで、箱体１４のねじ孔ｋからベルマウス１２の透孔部２７を介して第２のインサート金具２５のねじ孔に固定ねじを挿通し螺着する。このことにより、箱体１４をベルマウス１２を介してドレンパン１０に取付けることができる。なお、ねじ孔ｋは箱体１４底部を段状に絞り成形してなるものであり、箱体１４底部の強度の増大を図っている。【００３１】
箱体１４のねじ孔ｋの近傍には、上方へ突出する逃げ用突部ｍが設けられる。これら逃げ用突部ｍは箱体１４を取付けるべくベルマウス１２に密接させた状態で、ベルマウス１２を第２のインサート金具２５に取付ける固定ねじの頭部と対向する位置にある。すなわち、ねじ頭部に対するいわゆる逃げ用である。  
箱体１４内に制御用基板を収容し、蓋板１５を取付けることで電気部品箱１３が組立てられる。そのあと、ファンガード１６を取付け、上述したように化粧パネル３を室内ユニット本体２に取付けることで、室内ユニット２が形成される。この室内ユニット２を据付け現場に搬入し、吊り下げボルトで吊持すればよい。【００３２】
以上説明したように、板金製の電気部品箱１３が固定ねじを用いて板金製の第２のインサート金具２５に取付けられるので、これらは互いに電気的に導通状態にある。互いに板金製である第１のインサート金具２４と第２のインサート金具２５はドレンパン１０内にインサートされ、かつ互いの突出部が接触して電気的に導通状態にある。【００３３】
さらに、これら第１のインサート金具２４と第２のインサート金具２５の突出部相互は固定ねじ２６により密着固定されている。したがって、各インサート金具２４、２５はドレンパン１０内にインサートされたものでありながら、互いに固定ねじ２６によって、より確実に電気的に導通状態にある。【００３４】
第１のインサート金具２４と、板金製の取付用金具２２Ｂは固定ねじを介して取付固定され、互いに電気的に導通状態にある。取付用金具２２Ｂは板金製の金具本体２２の下部に形成され、この上部には吊り金具２２Ａが形成されているので、取付用金具２２Ｂと吊り金具２２Ａは、電気的に導通状態にある。【００３５】
これら吊り金具２２Ａと取付用金具２２Ｂを備えた金具本体２２は、板金製のケーシング４に取付固定されて、全体に電気的に導通状態にある。前記吊り金具２２Ａは金属製の吊り下げボルトに吊持され、互いに電気的に導通状態にある。前記吊り下げボルトは天井を構成する梁等に設けられ、接地状態にある。【００３６】
このことから、室内ユニット本体２を組立て、化粧パネル３を取付けることで、室内ユニット１は製品として完成し、これを現地に搬入して吊り下げボルトに吊持すれば、必然的に電気部品箱１３から第１、第２のインサート金具２５，２５と、ケーシング４及び吊り下げボルト等を介して接地に至る、アース径路が形成される。【００３７】
したがって、本実施の形態のごとき構成を採用することにより、従来のような雑音端子電圧低減のためのアース用配線をなすためのリード線が不要となり部品費の低減化を図れるうえに、リード線を電気部品箱に接続する作業の省略化が可能となって作業性の向上を図れ、コストの低減化に役立つ。【００３８】
なお、第１のインサート金具２４と第２のインサート金具２５を一体とせず、別体化したので、ドレンパン１０に対する設計仕様に応じて取付位置を可変できる。すなわち、複数の第１のインサート金具２４と第２のインサート金具２５を用意しておけば、他の形状構造のドレンパンにも適用可能である。【００３９】
次に、電気部品箱１３を構成する箱体１４について詳述する。【００４０】
図８は内部に収容される電気部品を省略した箱体１４一部の平面図、図９は箱体１４の同部位において内部に収容される電気部品も示す斜視図である。【００４１】
電気部品箱１３は、幅方向と比較して長手方向に長い長方形状をなしている。箱体１４の一側部における底部に、端子台ベース２８が取付けられている。なお説明すると、端子台ベース２８は箱体１４底部から側端に亘って斜めに傾斜した状態で取付けられ、箱体１４底部と端子台ベース２８とで間隙を存し二重構造となっている。【００４２】
特に図９に示すように、端子台ベース２８上には複数の端子台２９及びコード固定具３０等が取付けられ、これらの取付部品の相互間位置にアース印３１が付されている。さらに、アース印３１の近傍部位にはバーリング穴からなるねじ挿通用孔３２が設けられ、これと対向する箱体１４底部には前記ねじ孔ｋが設けられる。【００４３】
前記箱体１４のコーナー部で、かつ端子台ベース２８の取付位置から箱体１４底部に亘って切欠部３３が設けられている。箱体１４の取付けにあたって、端子台ベース２８のねじ挿通用孔３２に固定ねじを挿入する際に、誤ってねじが脱落した場合には、切欠部３３からそのねじｊを取出せばよい。【００４４】
室内ユニット本体２を吊り下げボルトに吊持したあと、必要な高さ位置調整作業が終わったら、吸込グリル１８とフィルタを取外して電気部品箱１３を露出させる。さらに電気部品箱１３の蓋板１５を外して、箱体１４に収容される電気部品及び端子台２９等を露出させる。【００４５】
少なくとも、前記端子台２９に対して電力用あるいは信号用のリード線端子を取付けて、制御用電気部品にリード線を電気的に接続する作業を行う。これらの作業は、電気部品箱１３を見上げた状態で行われるが、端子台ベース２８が箱体１４底部に対して斜めに傾斜して取付けられていることで作業し易く、作業性の向上化が得られる。【００４６】
次に、ベルマウス１２に係る説明をなす。【００４７】
図１０〜図１２は、通常使用時と、スリット部カット時と、制御用電気部品箱取付時の、それぞれベルマウス１２一部の斜視図である。【００４８】
図１０に示すように、前記ベルマウス１２には矩形状の切込みを有する前記スリット部１２ｃが設けられている。このスリット部１２ｃに対してある程度の強い力を付勢すれば、ベルマウス１２一部が破断するが、通常使用時は破断せず、そのまま残す。したがって、ベルマウス１２として使用時の風量を確保する。【００４９】
例えば、室外ユニットに対して室内ユニットの数を増加する等のオプション仕様の場合は、制御用基板を備えた制御用電気部品箱４０を追加で取付けしなければならない。このときは、図１１に示すように、前記スリット部１２ｃに対してある程度の強い力を付勢し、スリット部１２ｃから端部側の部分を除去する（スリット部カット時）。【００５０】
この状態で、平坦部１２ｂの延長上には一定の間隔を存し、並行に設けられる複数のリブ３５が露出する。これらリブ３５の先端部は平坦部１２ｂ板面と狭小の間隙を存していて、この間隙にリード線３６を挿入することで、リブ３５によりリード線３６を押さえ込むことができる。【００５１】
そして、図１２に示すように、オプション用として保管されている制御用電気部品箱４０を用意し、これをリブ３５上に対向するとともにし、切欠されたあとのスリット部１２ｃに嵌め込む。さらに、固定ねじを用いて制御用分岐部品箱４０をベルマウス１２にでねじ止め固定する（制御用電気部品箱取付時）。【００５２】
すなわち、スリット部１２ｃをカットするだけの簡単な作業で、部品数を増加することなく、オプション用の制御用電気部品箱４０を取付けることができる。上記リブ３５は制御用電気部品箱４０に対する台座とリード線３６のガイドを備え、容易にオプション仕様に対応できる。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【産業上の利用可能性】
【００５３】
本発明によれば、室内ユニット組立て時における雑音端子電圧低減のためのアース用配線作業を不要とし、組立て作業性の向上化が可能となる。
【図１】
0004582818.tif 000002
【図２】
0004582818.tif 000003
【図３】
0004582818.tif 000004
【図４】
0004582818.tif 000005
【図５】
0004582818.tif 000006
【図６】
0004582818.tif 000007
【図７】
0004582818.tif 000008
【図８】
0004582818.tif 000009
【図９】
0004582818.tif 000010
【図１０】
0004582818.tif 000011
【図１１】
0004582818.tif 000012
【図１２】
0004582818.tif 000013